(57)【要約】電圧源から電源電圧を受け、調整電圧をデジタル回路に与えるように構成した電圧調整器を提供する。この電圧調整器は、デジタル回路により発生される高周波エネルギーが電圧源に伝達されるのを抑止するように構成した第１の回路と、デジタル回路により発生される低周波エネルギーが電圧源に伝達されるのを抑止するように構成した第２の回路と、デジタル回路により引かれる電流に応答して調整電圧をほぼ一定値に維持するように構成した第３の回路とを具えている。
2009507307.tif 000002
【特許請求の範囲】
【請求項１】
電圧源から電源電圧を受け、調整電圧をデジタル回路に与えるように構成した電圧調整器であって、この電圧調整器は、前記デジタル回路により発生される高周波エネルギーが前記電圧源に伝達されるのを抑止するように構成した第１の回路と、前記デジタル回路により発生される低周波エネルギーが前記電圧源に伝達されるのを抑止するように構成した第２の回路と、前記デジタル回路により引かれる第１の電流に応答して前記調整電圧をほぼ一定値に維持するように構成した第３の回路とを具えている電圧調整器。
【請求項２】
請求項１に記載の電圧調整器において、前記第３の回路は、前記第１の電流の減少に応答して、前記第３の回路により引かれる第２の電流を増大させるように構成され、前記第３の回路は、前記第１の電流の増大に応答して、前記第３の回路により引かれる第２の電流を減少させるように構成されている電圧調整器。
【請求項３】
請求項１に記載の電圧調整器において、前記第３の回路は、シャントフィードバックを行うように構成されている電圧調整器。
【請求項４】
請求項１に記載の電圧調整器において、前記第３の回路は、前記調整電圧として基準電圧を生じるように構成されている電圧調整器。
【請求項５】
請求項１に記載の電圧調整器において、前記第３の回路は、シャントフィードバックを行うように構成されているトランジスタを有している電圧調整器。
【請求項６】
請求項１に記載の電圧調整器において、前記第３の回路は、周波数補償回路を有している電圧調整器。
【請求項７】
請求項１に記載の電圧調整器において、前記第１の回路は、高周波エネルギーが前記電圧源に伝達されるのを抑止するように構成した容量性素子を有している電圧調整器。
【請求項８】
請求項１に記載の電圧調整器において、前記第２の回路は、低周波エネルギーが前記電圧源に伝達されるのを抑止するように構成した定電流源を有している電圧調整器。
【請求項９】
請求項８に記載の電圧調整器において、前記定電流源は、第２の電流を発生するように構成され、前記第３の回路は、前記第２の電流から前記第１の電流を減算した値にほぼ等しい第３の電流を引くように構成されている電圧調整器。
【請求項１０】
請求項１に記載の電圧調整器において、前記調整電圧を調整するために、前記第２の回路及び基準電圧を調整しうるようにした電圧調整器。
【請求項１１】
電圧調整器により実行する方法であって、この方法が、
電圧源から電源電圧を受ける工程と、
調整電圧をデジタル回路に与える工程と、
調整電圧を用いる前記デジタル回路が発生する高周波エネルギーが前記電圧源に伝達されるのを抑止する工程と、
調整電圧を用いる前記デジタル回路が発生する低周波エネルギーが前記電圧源に伝達されるのを抑止する工程と、
前記デジタル回路により引かれる第１の電流に応答して前記調整電圧をほぼ一定値に維持する工程と
を有する方法。
【請求項１２】
請求項１１に記載の方法において、この方法が更に、
前記第１の電流の減少に応答して、前記電圧調整器により引かれる第２の電流を増大させる工程と、
前記第１の電流の増大に応答して、前記電圧調整器により引かれる第２の電流を減少させる工程と
を有する方法。
【請求項１３】
請求項１１に記載の方法において、この方法が更に、
電圧調整器中でシャントフィードバックを行う工程
を有する方法。
【請求項１４】
請求項１１に記載の方法において、この方法が更に、
調整電圧として基準電圧を発生させる工程
を有する方法。
【請求項１５】
請求項１１に記載の方法において、この方法が更に、
電圧調整器内に周波数補償回路を設ける工程
を有する方法。
【請求項１６】
請求項１１に記載の方法において、この方法が更に、
容量性素子を用いて高周波エネルギーが前記電圧源に伝達されるのを抑止する工程
を有する方法。
【請求項１７】
請求項１１に記載の方法において、この方法が更に、
定電流源を用いて低周波エネルギーが前記電圧源に伝達されるのを抑止する工程
を有する方法。
【請求項１８】
請求項１１に記載の方法において、この方法が更に、
定電流源により第２の電流を発生させる工程と、
電圧調整器において、前記第２の電流から前記第１の電流を減算した値にほぼ等しい第３の電流を引く工程と
を有する方法。
【請求項１９】
請求項１１に記載の方法において、この方法が更に、
前記調整電圧を調整する工程
を有する方法。
【請求項２０】
アンテナと、
このアンテナを用いて遠隔のホスト局と通信するように構成された移動通信システムであって、電圧源と、デジタル回路と、前記電圧源から電源電圧を受けて調整電圧を前記デジタル回路に与える電圧調整器とを有する当該移動通信システムと、
この移動通信システムと通信するように構成された入出力システムと
を具える通信装置において、
前記電圧調整器は、前記デジタル回路により発生される高周波エネルギーが前記電圧源に伝達されるのを抑止するように構成され、前記電圧調整器は、前記デジタル回路により発生される低周波エネルギーが前記電圧源に伝達されるのを抑止するように構成され、前記電圧調整器は、前記デジタル回路により引かれる第１の電流に応答して前記調整電圧をほぼ一定値に維持するように構成されている通信装置。
【発明の詳細な説明】
【技術分野】
【０００１】
本発明は、シャントフィードバックが行われる電圧調整器に関するものである。
【背景技術】
【０００２】
電磁妨害は、種々の電気回路において、回路動作に対する問題を生ぜしめるおそれがある。例えば、回路素子を同じ回路上に集積化することにより、これら回路素子が互いに接近している場合や、回路素子により比較的多量の電力が用いられる場合や、又は互いに異なる回路素子の動作周波数がオーバーラップしている場合に、上述した妨害が増大するおそれがある。回路素子間のスペースを増大させるか、又は回路素子を互いに電気絶縁することによりこの妨害を減少させることができるが、回路全体の大きさが増大するおそれがあり、回路素子を分離するの加える追加の回路が妨害を増大させるおそれがある。
【発明の開示】
【発明が解決しようとする課題】
【０００３】
回路全体の大きさを増大させることなしに、回路素子間の妨害を最小にしうるのが望ましい。
【課題を解決するための手段】
【０００４】
本発明の代表的な例によれば、電圧源から電源電圧を受け、調整電圧をデジタル回路に与えるように構成した電圧調整器を提供する。この電圧調整器は、デジタル回路により発生される高周波エネルギーが電圧源に伝達されるのを抑止するように構成した第１の回路と、デジタル回路により発生される低周波エネルギーが電圧源に伝達されるのを抑止するように構成した第２の回路と、デジタル回路により引かれる電流に応答して調整電圧をほぼ一定値に維持するように構成した第３の回路とを具えている。
【０００５】
本発明の他の代表的な例によれば、電圧調整器により実行される方法を提供する。この方法は、電圧源から電源電圧を受ける工程と、調整電圧をデジタル回路に与える工程と、調整電圧を用いる前記デジタル回路が発生する高周波エネルギーが前記電圧源に伝達されるのを抑止する工程と、調整電圧を用いる前記デジタル回路が発生する低周波エネルギーが前記電圧源に伝達されるのを抑止する工程と、前記デジタル回路により引かれる第１の電流に応答して前記調整電圧をほぼ一定値に維持する工程とを有する。
【０００６】
本発明の更に他の例によれば、デジタル回路と、電圧源から電源電圧を受けて調整電圧を前記デジタル回路に与えるように構成した電圧調整器とを有するシステムを提供する。前記電圧調整器は、前記デジタル回路により発生される高周波エネルギーが前記電圧源に伝達されるのを抑止するように構成され、前記電圧調整器は、前記デジタル回路により発生される低周波エネルギーが前記電圧源に伝達されるのを抑止するように構成され、前記電圧調整器は、前記デジタル回路により引かれる第１の電流に応答して前記調整電圧をほぼ一定値に維持するように構成されている。
【０００７】
本発明の更に他の例によれば、通信装置を提供する。この通信装置は、アンテナと、このアンテナを用いて遠隔のホスト局と通信するように構成された移動通信システムであって、電圧源と、デジタル回路と、前記電圧源から電源電圧を受けて調整電圧を前記デジタル回路に与える電圧調整器とを有する当該移動通信システムと、この移動通信システムと通信するように構成された入出力システムとを具える。前記電圧調整器は、前記デジタル回路により発生される高周波エネルギーが前記電圧源に伝達されるのを抑止するように構成され、前記電圧調整器は、前記デジタル回路により発生される低周波エネルギーが前記電圧源に伝達されるのを抑止するように構成され、前記電圧調整器は、前記デジタル回路により引かれる第１の電流に応答して前記調整電圧をほぼ一定値に維持するように構成されている。
【発明を実施するための最良の形態】
【０００８】
本発明の特定の実施例を示す以下の図面に関する詳細な説明において、構成素子は種々の異なる方向に配置しうる為、本発明は図面の位置に限定されるものではない。又、他の実施例も可能であり、本発明の範囲を逸脱することなしに、構造又は論理的な変更を行うことができる。従って、本発明の範囲は、以下の詳細な説明に限定されるものではなく、特許請求の範囲により規定されるものである。
【０００９】
良好に調整された電圧をデジタル回路に与えるとともに、疑似の高周波及び低周波エネルギーのような、デジタル回路からの妨害が電圧源に伝達されるのを抑止する電圧調整器の実施例をここに説明する。従って、電圧調整器には、妨害が他の回路の動作に悪影響を及ぼさないようにする妨害が含まれるものである。
【００１０】
図１は、デジタル回路１１０に結合された電圧調整器１００の一実施例を示すブロック線図である。この電圧調整器１００は、高周波回路１０２と、低周波回路１０４と、シャントフィードバック回路１０６とを有する。
【００１１】
電圧調整器１００は、電源電圧ＶDDと基準電圧ＶREF とを受け、調整電圧ＶREG を生じる。この電圧調整器１００は、調整電圧をデジタル回路１１０に与える。
【００１２】
デジタル回路１１０は、電圧調整器１００が生じる調整電圧を用いて動作し、電圧調整器１００から電流の変化量を取り出す。このデジタル回路１１０は、独立の回路として、又は他の回路（図１に図示せず）を含むシステムの一部として１つ以上の機能を実行するように構成されている。一実施例では、デジタル回路１１０が、ＧＳＭ（移動通信用のグローバルシステム）ネットワークに用いる移動通信システムの一部を構成する。例えば、デジタル回路１１０は、移動通信システムにおけるデジタル信号処理（ＤＳＰ）回路又はＮ分周回路を構成することができる。他の実施例では、デジタル回路１１０を、他の機能を実行するように構成した他の種類の通信システム又は他の種類の電子装置に設けることができる。
【００１３】
一実施例では、デジタル回路１１０が、他の回路（図示せず）の動作を阻止するか又はこの動作に悪影響を及ぼすおそれのある妨害を生じる。この他の回路は、デジタル回路１１０を含むシステム内に設けられているか、この他の回路の動作を阻止するか又はこの動作に悪影響を及ぼすおそれがある程度にデジタル回路１１０に接近して位置している場合がある。
【００１４】
一実施例では、デジタル回路１１０が、他の回路の動作に悪影響を及ぼすおそれのある妨害を高及び低周波エネルギーの形態で発生する。この高及び低周波エネルギーは、１つ以上の周波数で動作するデジタル回路１１０と関連する発振源、例えば、クロックや、デジタル回路１１０内の他の回路により発生されるおそれがある。この高及び低周波エネルギーは、低周波エネルギーが高周波エネルギーの場合よりも発振源の１つ以上の周波数に接近している場合に発振源の１つ以上の周波数に対して生じるおそれがある。
【００１５】
例えば、デジタル回路１１０が２６ＭHzのクロックを用いて動作する実施例では、一次及び二次高調波のようなクロックの低次の高調波が低周波エネルギーを発生し、クロックの高次の高調波が高周波エネルギーを発生するおそれがある。本例では、低周波エネルギーが、電圧源に存在するインピーダンスを変化させることにより、電圧制御発振器（ＶＣＯ）（図示せず）に対し周波数プリング問題を生ぜしめることにより、ＶＣＯの動作に悪影響を及ぼすおそれがある。更に、高周波エネルギーが送信機又は受信機回路（図１に図示せず）の動作周波数に近い場合、この高周波エネルギーが、デジタル回路１１０の近くに位置する送信機又は受信機回路に悪影響を及ぼすおそれがある。
【００１６】
電圧調整器１００は、デジタル回路１１０により発生される高及び低周波エネルギーのような妨害が、このデジタル回路１１０を含むシステムにおける他の回路の動作に悪影響を及ぼさないように構成されている。図１に示す実施例では、高周波回路１０２は、デジタル回路１１０により発生される高周波エネルギーが、電源電圧ＶDDを生じる電圧源に伝達されないように構成されている。同様に、低周波回路１０４は、デジタル回路１１０により発生される低周波エネルギーが、電源電圧を生じる電圧源に伝達されないように構成されている。
【００１７】
又、電圧調整器１００は、良好に調整された電圧ＶREG をデジタル回路１１０に与え、この良好に調整された電圧がデジタル回路１１０により引かれる電流量により変化しないように構成されている。図１に示す実施例では、シャントフィードバック回路１０６は、基準電圧ＶREF と電源電圧ＶDDとを用いて調整電圧をデジタル回路１１０に与えるように構成されている。このシャントフィードバック回路１０６は、デジタル回路１１０により引かれた電流量に応じて調整電圧を維持して一定の良好に調整された電圧をデジタル回路１１０に与える。一実施例では、シャントフィードバック回路１０６を、調整電圧ＶREG が基準電圧ＶREF と等しくなるように構成する。
【００１８】
調整電圧が一定に維持されるようにするためには、シャントフィードバック回路１０６は、デジタル回路１１０により引かれる電流量の変化に応答してこのシャントフィードバック回路が引く電流量を連続的に調整するように構成する。動作に際しては、このシャントフィードバック回路１０６は、デジタル回路１１０により引かれる電流量の減少に応答してこのシャントフィードバック回路が引く電流量を増大させる。このようにすることにより、シャントフィードバック回路１０６は、デジタル回路１１０が引く電流量の減少の結果として調整電圧が増大しないようにする。同様に、シャントフィードバック回路１０６は、デジタル回路１１０により引かれる電流量の増大に応答してこのシャントフィードバック回路が引く電流量を減少させる。このようにすることにより、シャントフィードバック回路１０６は、デジタル回路１１０が引く電流量の増大の結果として調整電圧が減少しないようにする。
【００１９】
一実施例では、シャントフィードバック回路１０６を流れる電流ＩSFを、次式Ｉで示すように、電圧源からの電流ＩDDと、デジタル回路１１０により引かれる電流ＩDCとの間の差に近似させる。
式Ｉ
ＩSF＝ＩDD−ＩDC
【００２０】
図２は、デジタル回路１１０に結合された電圧調整器１００の他の実施例１００Ａを示すブロック線図である。図２の実施例では、電圧調整器１００Ａは、高周波回路１０２の例１０２Ａと、低周波回路１０４の例１０４Ａと、シャントフィードバック回路１０６の例１０６Ａとを有している。この電圧調整器１００Ａは、電源電圧ＶDDと基準電圧ＶREF とを受け、調整電圧ＶREG を生じる。この電圧調整器１００Ａは、調整電圧をデジタル回路１１０に与える。
【００２１】
電圧調整器１００Ａは、デジタル回路１１０により発生される高及び低周波エネルギーのような妨害が、このデジタル回路１１０を含むシステムにおける他の回路の動作に悪影響を及ぼさないように構成されている。又、電圧調整器１００Ａは、良好に調整された電圧ＶREG をデジタル回路１１０に与え、この良好に調整された電圧がデジタル回路１１０により引かれる電流量により変化しないように構成されている。
【００２２】
図２に示す実施例においては、高周波回路１０２Ａが、調整電圧ノード及び接地点間に接続された容量性素子ＣBYPASSと、電源電圧点及び調整電圧ノード間に接続された抵抗性素子ＲHFとを有する。容量性素子ＣBYPASSと抵抗性素子ＲHFとが相俟って、低域通過フィルタとして動作する回路を構成している。容量性素子ＣBYPASSと抵抗性素子ＲHFとは、低域通過フィルタとして動作させることにより、デジタル回路１１０により発生される高周波エネルギーが、電源電圧ＶDDを生じる電圧源に伝達されないようにする。
【００２３】
図２に示す実施例では、低周波回路１０４Ａが、電源電圧点及び調整電圧ノード間に定電流ＩB を発生させるように構成された電流源を有している。この図２に示す実施例では、定電流ＩB が電源電圧点と抵抗性素子ＲHFとの間を流れる。他の実施例では、定電流ＩB が抵抗性素子ＲHFと調整電圧ノードとの間を流れる。低周波回路１０４Ａは、定電流ＩB を発生させることにより、デジタル回路１１０が発生する低周波エネルギーが、電源電圧を生じる電圧源に伝達されないようにする。
【００２４】
図２の実施例では、シャントフィードバック回路１０６Ａが、ｐチャネルトランジスタＭ1 及びＭ2Aと、ｎチャネルトランジスタＭ0 と、２つの定電流源ＩO と、容量性素子ＣC と、抵抗性素子ＲC とを有する。図２の実施例では、トランジスタＭ1 及びＭ2Aは互いに等しい寸法とする。他の実施例では、トランジスタＭ1 及びＭ2Aを、トランジスタＭ1 の寸法がトランジスタＭ2Aの寸法のｎ（整数）倍となるような寸法とするか、又はトランジスタＭ2Aの寸法がトランジスタＭ1 の寸法のｎ（整数）倍となるような寸法とする。
【００２５】
トランジスタＭ1 のソース接続端は基準電圧点に接続され、トランジスタＭ1 のゲート接続端はこのトランジスタＭ1 のドレイン接続端に接続されている。従って、トランジスタＭ1 はダイオードを構成する構造となっている。トランジスタＭ2Aのソース接続端は、調整電圧ノードに接続され、このトランジスタＭ2Aのゲート接続端は、トランジスタＭ1 のゲート接続端に接続されている。一方の電流源ＩO は、トランジスタＭ1 のゲート及びドレイン接続端と、接地点との間に接続されている。他方の電流源ＩO は、トランジスタＭ2Aのドレイン接続端と接地点との間に接続されている。容量性素子ＣC と、抵抗性素子ＲC とは、トランジスタＭ0 のゲート接続端と接地点との間で互いに直列に接続されている。トランジスタＭ0 のソース接続端は調整電圧点に接続され、トランジスタＭ0 のゲート接続端はトランジスタＭ2Aのドレイン接続端に接続され、トランジスタＭ0 のドレイン接続端は接地されている。
【００２６】
シャントフィードバック回路１０６Ａは、基準電圧ＶREF と電源電圧ＶDDとを用いて調整電圧をデジタル回路１１０に与えるように構成されている。このシャントフィードバック回路１０６は、デジタル回路１１０により引かれた電流量に応じて調整電圧を維持して一定の良好に調整された電圧をデジタル回路１１０に与える。
【００２７】
シャントフィードバック回路１０６Ａは、調整電圧を基準電圧ＶREF にほぼ等しくするように構成されている。定電流源ＩO は、トランジスタＭ1 及びトランジスタＭ2Aのソース接続端における電圧を一定で互いに等しくする。トランジスタＭ1 及びＭ2Aは互いに等しい寸法である為、調整電圧は基準電圧にほぼ等しい。
【００２８】
調整電圧が一定に維持されるようにするためには、シャントフィードバック回路１０６Ａは、トランジスタＭO が調整電圧から引く電流量を、デジタル回路１１０により引かれる電流量の変化に応答して、連続的に調整するようにする。トランジスタＭO は、デジタル回路１１０を流れる電流にかかわらず、調整電圧を基準電圧に等しくする能動的なシャントフィードバックを達成する。
【００２９】
動作に際しては、トランジスタＭO は、デジタル回路１１０により引かれる電流量の減少に応答してこのトランジスタＭO が引く電流量を増大させる。このようにすることにより、トランジスタＭO は、デジタル回路１１０が引く電流量の減少の結果として調整電圧が増大しないようにする。同様に、トランジスタＭO は、デジタル回路１１０により引かれる電流量の増大に応答してこのトランジスタＭO が引く電流量を減少させる。このようにすることにより、トランジスタＭO は、デジタル回路１１０が引く電流量の増大の結果として調整電圧が減少しないようにする。
【００３０】
一実施例では、トランジスタＭO を流れる電流ＩMOを次式IIで示すように電流源ＩB からの電流ＩB と、デジタル回路１１０により引かれる電流ＩDCとの間の差に近似させる。
式II
ＩMO＝ＩB −ＩDC
【００３１】
一実施例では、容量性素子ＣBYPASSを比較的大きくして、高周波減衰を達成するようにする。その結果、容量性素子ＣBYPASSは、調整電圧ノードにドミナントポールを生ぜしめる。シャントフィードバック回路１０６Ａは、容量性素子ＣBYPASSにより調整電圧ノードに生ぜしめられるポールに対する周波数補償を達成するための容量性素子ＣC 及び抵抗性素子ＲC を有している。従って、容量性素子ＣC 及び抵抗性素子ＲC は、電圧調整器１００Ａに対する、回路の安定性を達成する。
【００３２】
図３は、デジタル回路１１０に結合された電圧調整器１００の他の実施例１００Ｂを示すブロック線図である。図３のこの実施例では、この電圧調整器１００Ｂは、高周波回路１０２Ａと、低周波回路１０４Ａと、シャントフィードバック回路１０６の例１０６Ｂとを有している。この電圧調整器１００Ｂは、電源電圧ＶDDと基準電圧ＶREF とを受け、調整電圧ＶREG を生じる。この電圧調整器１００Ｂは、調整電圧をデジタル回路１１０に与える。
【００３３】
電圧調整器１００Ｂは、デジタル回路１１０により発生される高及び低周波エネルギーのような妨害が、このデジタル回路１１０を含むシステムにおける他の回路の動作に悪影響を及ぼさないように構成されている。又、電圧調整器１００Ｂは、良好に調整された電圧ＶREG をデジタル回路１１０に与え、この良好に調整された電圧がデジタル回路１１０により引かれる電流量により変化しないように構成されている。高周波回路１０２Ａ及び低周波回路１０４Ａは、図２につき前述したように動作する。
【００３４】
図３の実施例では、シャントフィードバック回路１０６Ｂが、ｐチャネルトランジスタＭ1 及びＭ2Bと、ｎチャネルトランジスタＭ0 及びＭ3 と、２つの定電流源ＩO 及びｎＩO とを有する。図３の実施例では、トランジスタＭ1 及びＭ2Bは、トランジスタＭ1 の寸法がトランジスタＭ2Bの寸法のｎ（整数）倍となるような寸法とする。定電流源ＩO 及びｎＩO も、定電流源ｎＩO が発生する電流が定電流源ＩO が発生する電流のｎ（整数）倍となるような寸法とする。
【００３５】
トランジスタＭ1 のソース接続端は基準電圧点に接続され、トランジスタＭ1 のゲート接続端はこのトランジスタＭ1 のドレイン接続端に接続されている。従って、トランジスタＭ1 はダイオードを構成する構造となっている。トランジスタＭ2Bのソース接続端は、調整電圧ノードに接続され、このトランジスタＭ2Bのゲート接続端は、トランジスタＭ1 のゲート接続端に接続されている。電流源ＩO は、トランジスタＭ1 のゲート及びドレイン接続端と、接地点との間に接続されている。電流源ｎＩO は、トランジスタＭ2Bのドレイン接続端と接地点との間に接続されている。トランジスタＭ3 のドレイン及びゲート接続端は、トランジスタＭ2Bのドレイン接続端に接続され、トランジスタＭ3 のソース接続端は、接地されている。従って、トランジスタＭ3 は、ダイオードを形成するように構成されている。トランジスタＭ0 のドレイン接続端は調整電圧ノードに接続され、トランジスタＭ0 のゲート接続端はトランジスタＭ3 のドレイン及びゲート接続端に接続され、トランジスタＭ0 のソース接続端は接地されている。
【００３６】
シャントフィードバック回路１０６Ｂは、基準電圧ＶREF と電源電圧ＶDDとを用いて調整電圧をデジタル回路１１０に与えるように構成されている。このシャントフィードバック回路１０６Ｂは、デジタル回路１１０により引かれた電流量に応じて調整電圧を維持して一定の良好に調整された電圧をデジタル回路１１０に与える。
【００３７】
シャントフィードバック回路１０６Ａは、調整電圧を基準電圧ＶREF にほぼ等しくするように構成されている。定電流源ＩO 及びｎＩO は、トランジスタＭ1 及びトランジスタＭ2Bのソース接続端における電圧を一定で互いに等しくする。トランジスタＭ1 及びＭ2Bはこれらのドレイン電流Ｉ0 及びｎＩ0 に対して比例する寸法である為、調整電圧は基準電圧にほぼ等しい。
【００３８】
調整電圧が一定に維持されるようにするためには、シャントフィードバック回路１０６Ｂは、トランジスタＭO が調整電圧から引く電流量を、デジタル回路１１０により引かれる電流量の変化に応答して、連続的に調整するようにする。トランジスタＭO は、デジタル回路１１０を流れる電流にかかわらず、調整電圧を基準電圧に等しくする能動的なシャントフィードバックを達成する。
【００３９】
動作に際しては、トランジスタＭO は、デジタル回路１１０により引かれる電流量の減少に応答してこのトランジスタＭO が電流源ＩB から引く電流量を増大させる。このようにすることにより、トランジスタＭO は、デジタル回路１１０が引く電流量の減少の結果として調整電圧が増大しないようにする。同様に、トランジスタＭO は、デジタル回路１１０により引かれる電流量の増大に応答してこのトランジスタＭO が電流源ＩB から引く電流量を減少させる。このようにすることにより、トランジスタＭO は、デジタル回路１１０が引く電流量の増大の結果として調整電圧が減少しないようにする。
【００４０】
一実施例では、トランジスタＭO を流れる電流ＩMOを前述した式IIで示すように電流源ＩB からの電流ＩB と、デジタル回路１１０により引かれる電流ＩDCとの間の差に近似させる。
【００４１】
一実施例では、容量性素子ＣBYPASSを比較的大きくして、高周波減衰を達成するようにする。その結果、容量性素子ＣBYPASSは、調整電圧ノードにドミナントポールを生ぜしめる。シャントフィードバック回路１０６Ａは、容量性素子ＣBYPASSにより調整電圧ノードに生ぜしめられるポールに対する周波数補償を達成するためのダイオード接続トランジスタＭ3 を有している。このダイオード接続トランジスタＭ3 は、トランジスタＭ0 のゲート接続端のノードにおけるポールを調整電圧ノードに比べた際にノンドミナントとする周波数補償回路を構成する。従って、このダイオード接続トランジスタＭ3 は、電圧調整器１００Ｂ対する、回路の安定性を達成する。
【００４２】
図４は、デジタル回路１１０に結合された電圧調整器１００の実施例１００Ｃを示すブロック線図であり、この電圧調整器１００Ｃは制御回路４００により動作させられる。この電圧調整器１００Ｃは、高周波回路１０２と、低周波回路１０４と、シャントフィードバック回路１０６とを有している。この電圧調整器１００Ｃは、電源電圧ＶDDと基準電圧ＶREF とを受け、調整電圧ＶREG を生じる。この電圧調整器１００Ｃは、調整電圧をデジタル回路１１０に与える。
【００４３】
電圧調整器１００Ｃは、図１につき前述した電圧調整器１００と同様に動作し、調整電圧をデジタル回路１１０に与える。しかし、図４では、制御回路４００が、基準電圧発生器４０２と低周波回路１０４の例１０４Ｂとを調整することにより、電圧調整器１００Ｃにより得られる調整電圧を調整する。
【００４４】
制御回路４００は、基準電圧発生器４０２を調整して、この基準電圧発生器４０２により電圧調整器１００Ｃに与える基準電圧を調整し、従って、調整電圧ＶREG を制御するように構成されている。この制御回路４００は、低周波回路１０４Ｂを調整するようにも構成されている。低周波回路１０４Ｂが、図２及び３における低周波回路１０４Ａに示すように電流源ＩB を有する一実施例では、制御回路４００が電流源ＩB を調整して、この電流源ＩB が生じる定電流の量を制御するようにする。
【００４５】
調整可能な調整電圧をデジタル回路１１０に与えるようにすることにより、電圧調整器１００Ｃは、調整電圧をデジタル回路１１０に対し用いられるように調整する。更に、電流源ＩB のような低周波回路１０４Ｂを調整することにより、電圧調整器１００Ｃの電力消費量を調整することができる。
【００４６】
図５は、移動通信システム５００の一実施例を示すブロック線図である。この移動通信システム５００は、無線周波（ＲＦ）回路５１０と、ベースバンドプロセッサ回路５２０と、制御回路５３０と、アンテナインタフェース回路５４０と、電圧調整器１００の１つ以上の例とを具えている。
【００４７】
ＲＦ回路５１０は、アンテナインタフェース回路５４０に直接又は間接的に結合されたアンテナ（例えば、図６に示すアンテナ６０６）を用いて情報を送受信するように構成されている。情報には、例えば、音声又はデータ通信情報を含めることができる。
【００４８】
ＲＦ回路５１０は、アンテナインタフェース回路５４０を用いて情報を送信するように構成した送信機回路５１２の１つ以上の例を有する。送信機回路５１２は、情報を送信するために、送信すべきデジタル情報をベースバンドプロセッサ回路５２０から受けこの情報に応じてＲＦ信号を発生させ、このＲＦ信号を、アンテナにより送信するためにアンテナインタフェース回路５４０に供給する。このＲＦ信号は、アンテナにより送信する前に電力増幅器回路（図示せず）により増幅することができる。一実施例では、送信機回路５１２の各例を、１つ以上の周波数帯域、例えば、ＧＳＭ８５０、ＥＧＳＭ、ＰＣＳ又はＤＣＳ帯域を用いて情報を送信するように構成する。
【００４９】
ＲＦ回路５１０は、アンテナインタフェース回路５４０を用いて情報を受信するように構成した受信機回路５１４の１つ以上の例をも有する。受信機回路５１４は、情報を受信するために、遠隔の送信機（例えば、図６に示す基地局６１０）からの情報を含むＲＦ信号を、アンテナ及びアンテナインタフェース回路５４０を介して受信する。ＲＦ信号は、受信機回路５１４により受信する前にフィルタ回路（図示せず）によりろ波することができる。受信機回路５１４は、ＲＦ信号を増幅及び周波数逓降させ、ＲＦ信号をデジタル情報に変換する。受信機回路５１４は、デジタル情報を処理のためにベースバンドプロセッサ回路５２０に供給する。一実施例では、受信機回路５１４の各例を、１つ以上の周波数帯域、例えば、ＧＳＭ８５０、ＥＧＳＭ、ＰＣＳ又はＤＣＳ帯域から情報を受信するように構成する。
【００５０】
ベースバンドプロセッサ回路５２０は、ＲＦ回路５１０により送信すべき情報及びＲＦ回路５１０により受信した情報に関しデジタルベースバンド処理、例えば、音声及びデータの双方又はいずれか一方の処理を実行するように構成されている。このベースバンドプロセッサ回路５２０は、ＲＦ回路５１０と関連しない他の情報、すなわち、ＲＦ回路５１０により送信すべきでない情報又はＲＦ回路５１０により受信されなかった情報に関しデジタル処理を実行するように構成することもできる。
【００５１】
制御回路５３０は、無線周波回路５１０と、ベースバンドプロセッサ回路５２０と、一実施例によれば電圧調整器１００の例とを有する移動通信システム５００の構成素子の動作を制御するように構成されている。例えば、制御回路５３０は、ベースバンドプロセッサ回路５２０を動作させたり、不動作状態にしたりするように構成されている。制御回路５３０は、ＲＦ回路５１０を動作させたり、不動作状態にしたりするようにも構成されている。制御回路５３０は更に、図４につき前述した一実施例における電圧調整器１００の例を制御するように構成されている。制御回路５３０は、上述した機能を実行するために、ハードウェア及びソフトウェアの双方又はいずれか一方の構成素子の適切な如何なる組み合わせをも含む。
【００５２】
アンテナインタフェース回路５４０は、図６に示すアンテナ６０６のようなアンテナに接続されて、移動通信システム５００によりＲＦ信号を送信及び受信するように構成されている。
【００５３】
図５の実施例では、電圧調整器１００の一例が、調整電圧をベースバンドプロセッサ回路５２０におけるデジタル信号処理（ＤＳＰ）回路（図示せず）に供給するとともに、調整電圧をＲＦ回路５１０におけるＮ分周回路（図示せず）に供給するようにする。他の実施例では、１つ以上の調整電圧を移動通信システム５００における他の回路に供給する電圧調整器１００の他の例を含めることができる。
【００５４】
移動通信システム５００は、直列又は多重的に（例えば、種々のタスクを実行するようにハードウェアを時分割することにより）、又は並列的に（例えば、各信号処理タスクに対し専用のハードウェアを用いることにより、又はこれらの技術を組み合わせることにより、信号処理タスクを実行しうる。信号処理用のハードウェア、ファームウェア及びソフトウェアの選択は、与えられた所望の実行に対する設計及び性能仕様に依存させることができる。
【００５５】
図６は、図５に示す移動通信システム５００を有する移動通信装置６００の一実施例を示すブロック線図である。この移動通信装置６００は、携帯電話や、パーソナルアシスタンスシステム（ＰＤＡ）や、オーディオ及びビデオの双方又はいずれか一方に対するプレーヤ（例えば、ＭＰ３又はＤＶＤプレーヤ）のような如何なる種類の携帯通信装置にもすることができる。この移動通信装置６００は、移動通信システム５００と、入出力システム６０２と、電源６０４と、アンテナ６０６とを有している。
【００５６】
入出力システム６０２は、ユーザから情報を受け、この情報を移動通信システム５００に供給する。入出力システム６０２は、移動通信システム５００からも情報を受け、この情報をユーザに提供する。情報には、音声及びデータの双方又はいずれか一方の通信情報を含めることができる。入出力システム６０２は、ユーザが情報を移動通信装置６００に与えるとともに、情報を移動通信装置６００から受けるようにする任意の個数及び種類の入力装置及び出力装置を有する。これらの入力装置及び出力装置の例としては、マイクロホン、スピーカ、キーパッド、ポインティングデバイス又は選択装置、及び表示装置がある。
【００５７】
電源６０４は、移動通信システム５００と、入出力システム６０２と、アンテナ６０６とに電力を与える。この電源６０４は、バッテリのような適切な如何なる携帯型又は非携帯型の電源を有する。特に、電源６０４は、移動通信システム５００における電圧調整器１００の１つ以上の例に電力を与える。
【００５８】
移動通信システム５００は、１つ以上の基地局６１０又は遠隔に位置する他のホスト局と無線周波数でアンテナ６０６を用いて通信する。この移動通信システム５００は、信号６２０により示すように、情報を１つ以上の基地局６１０又は遠隔に位置する他のホスト局と無線周波数でアンテナ６０６を用いて送信する。又、この移動通信システム５００は、信号６３０により示すように、情報を基地局６１０から無線周波数でアンテナ６０６を用いて受信する。他の実施例では、移動通信システム５００が他の周波数スペクトルを用いて基地局６１０と通信する。
【００５９】
上述した実施例では、本発明による通信装置を構成するのに、種々の回路及び処理技術や材料を用いることができる。このような技術の例には、金属酸化物半導体（ＭＯＳ）、ｐ型ＭＯＳ（ＰＭＯＳ）、ｎ型ＭＯＳ（ＮＭＯＳ）、相補型ＭＯＳ（ＣＭＯＳ）、シリコン‐ゲルマニウム（SiGe）、砒化ガリウム（GaAs）、シリコン‐オン‐インシュレータ（ＳＯＩ）、バイポーラ接合型トランジスタ（ＢＪＴ）及びＢＪＴとＣＭＯＳ（BiＣＭＯＳ）との組み合わせが含まれる。
【００６０】
上述したところでは、本発明の特定の実施例につき説明したが、本発明は上述した実施例に限定されるものではなく、当業者は、特許請求の範囲から逸脱することなく本発明の種々の変形例を設計しうること明らかである。本発明は、特許請求の範囲及びその等価な事項でのみ限定されるものである。
【図面の簡単な説明】
【００６１】
【図１】図１は、デジタル回路に結合された電圧調整器の一実施例を示すブロック線図である。
【図２】図２は、デジタル回路に結合された電圧調整器の他の実施例を示すブロック線図である。
【図３】図３は、デジタル回路に結合された電圧調整器の更に他の実施例を示すブロック線図である。
【図４】図４は、デジタル回路に結合され、制御回路により動作させられる電圧調整器の一実施例を示すブロック線図である。
【図５】図５は、移動通信システムの一実施例を示すブロック線図である。
【図６】図６は、図５に示す移動通信システムを有する移動通信装置の一実施例を示すブロック線図である。
【図１】
2009507307.tif 000003
【図２】
2009507307.tif 000004
【図３】
2009507307.tif 000005
【図４】
2009507307.tif 000006
【図５】
2009507307.tif 000007
【図６】
2009507307.tif 000008
【国際調査報告】
2009507307.tif 000009
2009507307.tif 000010